(57)【要約】      （修正有）【課題】投げ捨て形のゴミ箱はゴミをゲーム感覚で投げ、廃棄するので便利でありながら、取り付けが簡単であり、人がぶつかったような時にあっても容易には壊れず、構造簡単にして製造原価の安い投げ込み形のゴミ箱を提供する。【解決手段】キャップ体５が、下方に延在する筒状のキャップ本体６と、上面中央部にゴミ入口部８を有し、水平方向に対して上方に３０―４５°の範囲で傾斜した円錐形をなし、ゴミ箱１本体の入口に載置される下面を有し、外方に広がる形状の縁７とを有する。【選択図】図１
0003186925.tif 000002
【実用新案登録請求の範囲】
【請求項１】
ゴミ箱本体と、該ゴミ箱本体に組み合わされるキャップ体とがセットとなった投げ入れ形ゴミ箱において、
ゴミ箱本体が、上面に入口部と、入口部の反対側が塞がれて内部にゴミを収納するゴミ収納空間部とを有して形成され、
キャップ体が、下方に延在する筒状のキャップ本体と、上面中央部にゴミ入口部を有し、水平方向に対して上方に３０―４５°の範囲で傾斜した円錐形をなし、ゴミ箱本体の入口に載置される下面を有し、外方に広がる形状の縁とを有し、
キャップ体のキャップ本体が、ゴミ箱本体の入口部からゴミ収納空間部内に挿入されることでゴミ箱本体に保持され、組み合わされてセット化されること
を特徴とする投げ入れ形ゴミ箱。
【考案の詳細な説明】
【技術分野】
【０００１】
本考案は、投げ入れ形ゴミ箱に関する。
【背景技術】
【０００２】
ゴミ箱としては、通常、プラスチック性の筒型あるいは四角錐形状のものが使用される。特許文献１には、このような形状を用いて、ゲーム感覚でゴミを投げ、ボードに跳ね返らせて入れるようにした投げ込み形ゴミ箱が提案されている。この案では、ゴミ箱の入口をすり鉢状にして広くする形状としている。
【先行技術文献】
【特許文献】
【０００３】
【特許文献１】特開平１１−２０９０１号公報
【考案の概要】
【考案が解決しようとする課題】
【０００４】
テレビを見ているような時に、一方でゴミをゴミ箱に捨てたいことが生じるが、腰を上げ、捨てに行くことが面倒でもあり、テレビの画面から目を離したくないことということがある。テレビを観ている時ばかりでなく、机に向かって仕事、勉強をしているような時にあっても、椅子から離れて歩いてゴミを廃棄する行為をすることは面倒なことと思う時がある。このようなときに、特許文献１に示されているように投げ捨て形のゴミ箱は、ゴミをゲーム感覚で投げ、廃棄するので便利でもあり、テレビ観戦など現在進行形の行為を妨げることがないということがない。特許文献１に記載された投げ捨て形のゴミ箱は、上部枠にボード固定棒を取り付けた湾曲したボードを用いており、取り付けが厄介であり、また人、特に子供がぶつかった時にボード固定棒が壊れやすいという恐れがあり、原価の複雑である分高いものとなる。
【０００５】
本考案は、かかる点に鑑みてなされたもので、特許文献１に示されているように投げ捨て形のゴミ箱はゴミをゲーム感覚で投げ、廃棄するので便利でありながら、取り付けが簡単であり、人がぶつかったような時にあっても容易には壊れず、構造簡単にして製造原価の安い投げ込み形のゴミ箱を提供することを目的とする。
【課題を解決するための手段】
【０００６】
本考案は、ゴミ箱本体が、上面に入口部と、入口部の反対側が塞がれて内部にゴミを収納するゴミ収納空間部とを有して形成され、
キャップ体が、下方に延在する筒状のキャップ本体と、上面中央部にゴミ入口部を有し、水平方向に対して上方に３０―４５°の範囲で傾斜した円錐形をなし、ゴミ箱本体の入口に載置される下面を有し、外方に広がる形状の縁とを有し、
キャップ体のキャップ本体が、ゴミ箱本体の入口部からゴミ収納空間部内に挿入されることゴミ箱本体に保持され、組み合わされてセット化されることで、この課題を解決する。
【考案の効果】
【０００７】
本考案は、上述したように、キャップ体が、下方に延在する筒状のキャップ本体と、上面中央部にゴミ入口部を有し、水平方向に対して上方に３０―４５°の範囲で傾斜した円錐形をなし、ゴミ箱本体の入口に載置される下面を有し、外方に広がる形状の縁とを有し、
キャップ体のキャップ本体が、ゴミ箱本体の入口部からゴミ収納空間部内に挿入されることでゴミ箱本体に保持され、組み合わされてセット化されるようにしているので、特許文献１に示されているように投げ捨て形のゴミ箱はゴミをゲーム感覚で投げ、廃棄するので便利でありながら、取り付けが簡単であり、人がぶつかったような時にあっても容易には壊れず、構造簡単にして製造原価の安い投げ込み形のゴミ箱を提供することが出来る。
【図面の簡単な説明】
【０００８】
【図１】本考案の実施例の形態を示す図。
【図２】本考案に用いられるゴミ箱本体の構造を示す図。
【図３】本考案に用いられるキャップ部の構造を示す図。
【考案を実施するための形態】
【０００９】
以下、本考案の実施例を図面に基づいて説明する。
【実施例】
【００１０】
図１は、本考案の実施例の形態を示す図であり、図２は、本考案に用いられるゴミ箱本体の構造を示す図であり、そして図３は、本考案に用いられるキャップ部の構造を示す図である。
【００１１】
これらの図において、本考案の投げ捨て形ゴミ箱（ゴミ箱）１は、ゴミ箱本体２と、このゴミ箱本体２から離されていて、組み合わせ可能なキャップ５体とがセットとなって形成される。
【００１２】
ゴミ箱本体２が、上面に入口部３と、入口部３の反対側（図で下側）が塞がれて内部にゴミを収納するゴミ収納空間部４とを有して形成される。図から分かるように、ゴミ箱本体２は、通常使用されるゴミ箱を用いることができる。したがって、ゴミ箱本体は、図に示されるような筒型形状のものばかりでなく、四角錐形状のものであってもよいし、他の形状のものであってもよい。ゴミ箱本体は、従来のように樹脂製で製作することが出来、例えばポリウレタン材、ポリエチレン材等のプラスチック材を用いて射出成型体として形成されてよい。他の材料で構成されてもよいが樹脂製とするならば安価に製造することができる。
【００１３】
キャップ体５が、下方に延在する筒状のキャップ本体６と、上面中央部にゴミ入口部８を有し、ゴミ入口部８に連通するゴミ通過空間部９を有し、水平方向に対して上方に３０―４５°の範囲で傾斜した円錐形、すなわちすり鉢形をなし、ゴミ箱本体の入口に載置される下面を有し、外方に広がる形状の縁７とを有して形成される。キャップ体５は、蓋の機能を備える。
【００１４】
図１では、キャップ本体６の外面とゴミ箱本体２の内面との間に空間があるが、この空間を狭めたり、なくして接触するようにしてしっかりと固定されるようにしてもよい。この場合には、キャップ体５は、下面ではなく、側面でゴミ箱本体２に保持されることとなる。
【００１５】
縁７は、円形円盤形状にして、外方に広がるようにすることで、投げ捨てられるゴミを確実に受け、上面中央部に設けたゴミ入口部８にゴミを集合させることが出来る。
【００１６】
また、縁７は、平板状にすることで、射出成型がし易い形状とすることができるが、平板上ではなく、丸みを帯びたり、内部空白部を持つようにして形成されてもよい。表面に凹凸を形成してもよい。また、外円は、図に示すように円形でなく、花弁形状としてもよい。重要なのは、外方に広がる形状の縁７を、入口部３の開放面積よりも広くし、水平方向に対して上方に３０―４５°の範囲で傾斜した円錐形とすることにある。この形状の採用によって上戸のように内方にへこみ、投げ捨てられたゴミをゴミ入口部８に向けて集合させることができるようにすることである。３０°以下の場合には、ゴミは停止して集合されず、６０°以上であると投げ捨てられたゴミを受けるのに不便となり、受け面を広くするためには、キャップ体５を大きくすることが必要になってしまう。図１では、中央点の“Ｏ”を中心として円錐形状としているが、ゴミ入口部８に集約されたような円錐形とするならば“Ｏ”点を離れ、図に示す形状でなくてもよいが、図に示す形状が製作の点から最も望ましい。また、図に示す例では、半径外方に同一傾斜で広がったものとしているが、一方向に偏った傾斜形状とすると、投げ捨てたゴミを受け易い形状となり、受け面である縁７を人の居る方向に向けることが出来るメリトがある。
【００１７】
キャップ体５は、樹脂製で製作することが出来、例えばポリウレタン材、ポリエチレン材等のプラスチック材を用いて射出成型体として形成されてよい。他の材料で構成されてもよいが樹脂製とするならば安価に製造することができる。
【００１８】
上述したように、図２にゴミ箱本体２の形態構造が示され、図３にキャップ体５の形態構造が示され、キャップ体５のキャップ本体９が、ゴミ箱本体４の入口部３からゴミ収納空間部４内に挿入されることで縁７の下面がゴミ箱本体２の入口部３に載置され、組み合わされてセット化される。分離は容易にすることが出来る。図１に示すように、キャップ本体９は、その先端がゴミ収納空間４の上方部に留まる長さにすることがゴミ箱本体２にゴミを収集しておく上で望ましい。
【００１９】
通常の使用の際には、ゴミ箱本体２には、ゴミ収納空間部４をカバーするようにビニール袋１１が設置される。本考案は、このようなビニール袋１１の設置の妨げとはならず、図１に示すようにビニール袋１１が設置され、この上側にキャップ本体５が載置される。この場合には、キャップ体５は、ビニール袋１１を介しての入口部３への載置となる。
【００２０】
このようにしてセットされたゴミ箱が形成されることで、投げ捨て形のゴミ箱はゴミをゲーム感覚で投げ、廃棄するので便利でありながら、取り付けが簡単であり、人がぶつかったような時にあっても容易には壊れず、構造簡単にして製造原価の安い投げ込み形のゴミ箱を提供することが出来る。
【符号の説明】
【００２１】
１…投げ捨て形ゴミ箱（ゴミ箱）、２…ゴミ箱本体、３…入口部、４…ゴミ収納空間部、５…キャップ体、６…キャップ体本体、７…縁、８…ゴミ入口部、９…ゴミ通過空間部、１１…ビニール袋。
【図１】
0003186925.tif 000003
【図２】
0003186925.tif 000004
【図３】
0003186925.tif 000005